【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
複数の成分から着目成分を抽出する方法であって、
前記方法は、
複数の成分と少なくとも２つの液相とを含む混合物を調製する工程であって、前記複数成分は着目成分を含み、前記混合物は第１の静水圧にある工程と、
前記混合物に第２の静水圧をかける工程であって、前記第２静水圧は前記第１静水圧より大きく、これにより更なる液相が生じる工程と、
前記第２静水圧から圧力を下げることにより、前記着目成分を前記複数成分から抽出する工程と、
を含むことを特徴とする方法。
【請求項２】
請求項１に記載の方法であって、前記複数成分は、様々な疎水性を備えた成分を含む、または、
前記複数成分は、少なくとも２つの液相の１つの相を含む、または、
前記複数成分の１つの成分は、前記の少なくとも２つの液相の１つの液相に可溶である、または、
前記着目成分はタンパク質であり、前記タンパク質の立体配座は、抽出の間、または抽出後に変化するものであってもよい、または、
前記の少なくとも２つの液相は、前記第１静水圧において混和しない、または、
前記の少なくとも２つの液相は、前記第２静水圧において混和する、または、
前記の少なくとも２つの液相は、前記第１静水圧において可溶でない、または、
前記の少なくとも２つの液相は、前記第２静水圧において部分的に可溶である、または、
前記の少なくとも２つの液相は、前記第２静水圧において完全に可溶であることを特徴とする方法。
【請求項３】
請求項１に記載の方法であって、前記第２静水圧は、前記第１静水圧に等しい、第３の静水圧に下げられ、前記混合物には、第４の圧力がかけられてもよく、前記第４圧力は、前記第１、第２、または第３圧力より大きいことを特徴とする方法。
【請求項４】
請求項１に記載の方法であって、前記第２静水圧は、第３の静水圧に下げられ、前記第３圧力は、前記第１静水圧より大きく、前記混合物には、第４の圧力がかけられてもよく、前記第４圧力は、前記第１、第２、または第３圧力より大きいことを特徴とする方法。
【請求項５】
請求項１に記載の方法であって、
前記第２静水圧は、第３の静水圧に下げられ、前記第３圧力は、前記第１静水圧より小さく、前記混合物には、第４の圧力がかけられてもよく、前記第４圧力は、前記第１、第２、または第３圧力より大きいことを特徴とする方法。
【請求項６】
請求項１に記載の方法であって、前記第２静水圧から圧力を下げると、少なくとも２つの液相は個々の相に分かれ、前記着目成分は、前記の少なくとも２つの液相の一方に分配されることを特徴とする方法。
【請求項７】
請求項１に記載の方法であって、前記混合物には、第１、第２、第３、または第４圧力がかけられ、前記第４圧力は、前記第１、第２、または第３圧力より大きく、前記混合物は、試薬を含む２次容器を含んでもよく、前記第４静水圧をかけて前記２次容器の内身を放出させ、これにより前記試薬を前記混合物に加えることを特徴とする方法。
【請求項８】
請求項１に記載の方法であって、前記複数成分は、前記着目成分を殆ど含まない液相に分配される、または、
前記着目成分を前記液相から単離する工程を更に含む、または、
前記の抽出された着目成分は、後続プロセスにそのまま使用できる、または、
前記複数成分は、コロイドを含み、エマルションを含んでもよい、または、
前記着目成分は、多糖、ポリフェノール、ビタミン、毒素、汚染物質、脂質、糖脂質、ステロイド、膜、細菌封入体中に存在する成分、抗原、ウイルス、薬学試剤、代謝産物、薬物、薬物代謝産物、染料、食品成分、ナノ粒子配合物、脂質ラフト、アミロイド斑、微小管、細胞質ゾル、または特定の細胞型である、または、
前記着目成分は、核酸である、または、
前記着目成分は、ウイルスまたは細菌である、または、
前記着目成分は、農薬である、または、
前記着目成分は、疎水性である、または、
前記着目成分は、親水性である、または、
前記着目成分は、両親媒性である、または、
複数の着目成分は、複数の成分から抽出され、前記の複数の着目成分は、核酸およびタンパク質を含んでもよい、または、
前記複数成分は、細胞、オルガネラ、膜、または生体試料を含む、または、
前記複数成分は、生体起源のものであり、前記生体起源の前記複数成分は、動物、真菌、細菌、ウイルス、または植物から得たものであってもよい、または、
前記複数成分は、エマルションを含む、または、
前記複数成分は、合成物であることを特徴とする方法。
【請求項９】
請求項１に記載の方法であって、前記第２圧力は、第３の圧力に下げられ、前記複数成分は、圧力サイクルに曝され、前記第１、第２、および第３静水圧は、圧力サイクルを構成し、前記混合物は、繰り返される圧力サイクルに曝されてもよく、前記混合物は、約１から約１０００回の圧力サイクルに曝されてもよく、前記第３静水圧は、前記第１静水圧より小さい、または、前記第１静水圧に等しい、または、前記第１静水圧より大きいことを特徴とする方法。
【請求項１０】
請求項１に記載の方法であって、前記第１静水圧は、約０．１ＭＰａから約１，０００ＭＰａである、または、
前記第２静水圧は、最大約１，０００ＭＰａまでである、または、
前記第２静水圧は、約１００ｋＰａから約１，０００ＭＰａである、または、
前記第１静水圧と前記第２静水圧との圧力差は、約１０ｋＰａから１ＧＰａである、または、
前記方法は、約−４０℃から約＋１００℃の温度で行われる、または、
前記圧力は、液圧または空気圧である、または、
前記複数液相は、共沸混合物を含む、または、
前記複数液相は、様々な特定の割合の様々な液体を含む混合物を含む、または、
前記複数液相は、二相性である、または、
前記複数液相は、三相性である、または、
前記複数液相は、水性溶媒を含む、または、
前記複数液相は、有機溶媒を含む、または、
前記複数液相は、クロロホルム、テトラクロロエチレン、アルコール、水、脂肪族炭化水素、アセトニトリル、ギ酸、トリフルオロ酢酸、グリセロール、脂質、ハロカーボン、洗浄剤、緩衝液、カオトロピック塩、またはこれらの混合物を含む、または、
前記複数成分は、１つの液相または複数の液相を生成し、前記液相は、脂質、有機溶媒、水性緩衝液、エマルション、または固体粒子懸濁液であってもよく、または、前記液相は、静水圧下で固相から生成してもよい、または、
前記方法は、低張塩濃度で行われる、または、
前記方法は、高張塩濃度で行われる、または、
前記混合物は、洗剤を含む、または、
前記混合物は、緩衝剤を含む、または、
タンパク質は、生体膜から抽出される、または、
タンパク質は、脂質相から抽出される、または、
成分は、塗料から抽出される、または、
成分は、土から抽出される、または、
成分は、固体粒子の懸濁液から抽出される、または、
前記複数成分は、エマルションを含む、または、
前記複数成分は、脂質、あるいは、脂質または脂質混合物に１つまたは複数の成分を加えた溶液を含み、前記複数成分は、タンパク質、リポタンパク質、糖タンパク質、糖脂質、ステロイド、ビタミン、薬物、または薬物代謝産物を更に含んでもよく、前記複数成分は、細胞または単細胞生物を含んでもよいことを特徴とする方法。
【請求項１１】
請求項１に記載の方法であって、前記の少なくとも２つの液相は、前記第１圧力において相互溶解性に乏しく、前記の少なくとも２つの液相は分画されており、
前記混合物に前記第２圧力をかけて、前記の少なくとも２つの液相の相互溶解性を高めることにより、相互溶解性に乏しい前記の少なくとも２つの液相を混合して、準安定混合物を生成し、
前記第２圧力から圧力を下げることにより、前記の少なくとも２つの液相の溶解性を下げ、前記複数液相を画分に分かれさせて、前記複数液相の間で前記成分を分配させることを特徴とする方法。
【請求項１２】
複数の液相の間で複数の成分を分配させる方法であって、
前記方法は、
混合物を調製する工程であって、前記混合物は、複数の成分と複数の液相とを含み、前記複数液相は、周囲圧力において相互溶解性に乏しく、前記複数液相は分画されている工程と、
前記混合物に高めた圧力をかける工程であって、前記の高めた圧力が、前記複数液相の相互溶解性を高めることにより、相互溶解性に乏しい前記複数液相を混合して、準安定混合物を生成する工程と、
前記混合物の圧力を下げることにより、前記液相の溶解性を下げ、前記複数液相を画分に分かれさせて、前記複数液相の間で前記成分を分配させる工程と、
を含むことを特徴とする方法。
【請求項１３】
請求項１２に記載の方法であって、前記複数液相は、周囲温度において相互溶解性に乏しいことを特徴とする方法。
【請求項１４】
複数の成分から着目成分を抽出する方法であって、
前記方法は、
複数の成分と少なくとも２つの液相とを含む混合物を調製する工程であって、前記複数成分は着目成分を含む工程と、
前記混合物を溶媒に曝す工程であって、前記溶媒が着目成分を抽出することにより、前記着目成分が前記複数成分から抽出される工程と、
を含むことを特徴とする方法。
【請求項１５】
請求項１４に記載の方法であって、前記溶媒は、１，１，１，３，３，３−ヘキサフルオロ−２−プロパノール（ＨＦＩＰ）を含む、または、
前記方法は、前記混合物を圧力変化に曝す工程を更に含む、または、
前記方法は、前記混合物を機械的処理ステップにかける工程を更に含み、前記機械的処理ステップは、ホモジナイズ、ボルテックス処理、超音波処理、ピペット処理、剪断、粉砕、震盪、混和、混合、ハンマリング、またはこれらの組み合わせを含んでもよいことを特徴とする方法。